(57)【要約】【課題】冷蔵庫更新時の廃棄物の再資源処理容易化、及び、据付性の容易化を図った分散型冷蔵庫を提供する。【解決手段】少なくとも、圧縮機、放熱器を備えた機械室ユニット、断熱箱体で区画され、少なくとも冷却器と冷気循環用ファンを備えた冷却室ユニット、及び、食品貯蔵用の断熱箱体と断熱扉とからなる食品収納ユニット、前記３種のユニットは、食品収納ユニットと冷却室ユニットとの間は冷気循環用ダクトを介して接続し、また冷却室ユニットと機械室ユニットとの間は冷媒供給管を介し接続され、１つ以上の食品収納ユニットと冷却室ユニット及び機械室ユニットを分散配置した。【選択図】  図１
2004360929.tif 000002
【特許請求の範囲】
【請求項１】
少なくとも、圧縮機、放熱器を備えた機械室ユニット、断熱箱体で区画され、少なくとも冷却器と冷気循環用ファンを備えた冷却室ユニット、及び、食品貯蔵用の断熱箱体と断熱扉とからなる食品収納ユニット、前記３種のユニットは、食品収納ユニットと冷却室ユニットとの間は冷気循環用ダクトを介して接続し、また冷却室ユニットと機械室ユニットとの間は冷媒供給管を介し接続され、１つ以上の食品収納ユニットと冷却室ユニット及び機械室ユニットを分散配置したことを特徴とする分散型冷蔵庫。
【請求項２】
請求項１記載の分散型冷蔵庫において、電源供給及びデータ通信方式を、接続される３種類のユニットの内、１種類１機のユニット制御回路の電源回路で交流電源から直流電源に変換し、接続される他の２種類のユニット制御回路に電力を供給する為の電源を生成し、かつユニット間の通信データをスイッチング素子により重畳する２線式電源を用いた双方向通信方式とする分散型冷蔵庫。
【請求項３】
請求項１または２記載の分散型冷蔵庫において、接続される食品収納ユニットは容積、部屋構成または冷凍室ユニット、冷蔵室ユニット、野菜室ユニット等に使用目的ごとに温度帯分けされ、複数の食品収納ユニットを組み合わせ自在の構造としたことを特徴とする分散型冷蔵庫。
【請求項４】
請求項１または２記載の分散型冷蔵庫において、食品収納ユニットの替わりに、家屋の１室の壁を断熱材とし、断熱壁に囲まれた空間を予め設定し作りつけを特徴とする分散型冷蔵庫。
【発明の詳細な説明】
【０００１】
【発明の属する技術分野】
本発明は分散型冷蔵庫に係り、特に廃冷蔵庫の減量化、再資源化を考慮した冷蔵庫に関する。
【０００２】
【従来の技術】
従来の一般的な冷蔵庫は、１台ごとに本体の一部として圧縮機、放熱器、冷却器及びを具備しており、それらを接続する冷凍サイクルのパイプ等が混在しそれらを取り巻くように断熱材が配置されており、必ずしも再資源化処理が容易な構造にはなっていなかった。また、冷蔵庫筐体の設置は、家庭電器販売店から冷蔵庫を完成品の形で搬入することで行っている、その為、搬入の都合上、冷蔵庫の外形寸法の制約は厳しくなっている。しかしながら食生活、食品の多様化に対応し冷蔵庫の需要は年々大型化が進んでおり、大きな内容積の確保と外形寸法の制約との両立の為に断熱材は薄くて断熱性の良いものが求められ、その材質が廃棄後に環境に及ぼす影響は二の次にされてきた。そして、冷蔵庫の廃棄時は多様な材質の部品で構成されている筐体の全体が廃棄の対象となっており、粗大ゴミの量を多くしていた。これの対策として、特開平６−１４７７１７号公報においては冷却器を有した食品収納部と圧縮機及び放熱器を有した冷凍サイクルユニットを結合して冷蔵庫とすることにより据付性、省資源、再資源に適した冷蔵庫を達成している。
【０００３】
【特許文献１】
特開平６−１４７７１７号公報
【０００４】
【発明が解決しようとする課題】
しかしながら、上記の公知例においては、食品収納部に冷却器を内蔵しており、１つの食品収納部に必ず一つの冷却器が必要であり、食品収納部の廃棄時には、冷却器も含めた多様な材質の部品で構成されている食品収納部全体が廃棄の対象となり、必ずしも再資源性に優れているものではない。本発明の目的は省資源、再資源に適し、据付性の良い冷蔵庫を提供することにある。
【０００５】
【課題を解決するための手段】
本発明は、食品貯蔵用の断熱箱体と断熱扉とから構成される食品収納ユニット。前記食品収納ユニットは夫々、食品収納室内部の温度を感知する温度センサー、食品収納室内部の空気を攪拌する庫内ファン、冷気ダクトとのダクト接続部、ダクト接続部の蓋開閉装置、及び温度センサーの検知情報によりダクト接続部蓋の開閉及び庫内ファンを制御する制御部を有し、内部を設定される温度で制御している。前記食品収納ユニットに冷気ダクトを介して接続され、冷媒を気化させる冷却器、前記冷却器により冷却された空気を循環させる冷気循環用ファン、冷却器の温度を検知する冷却器温度センサー、該食品収納ユニット制御部と通信し冷気循環用ファンを制御する冷却器制御部を備えた冷却室ユニット。前記冷却器へ供給する冷媒を液化する放熱器と、該冷却器で気化された冷媒を該放熱器まで返送する圧縮機、電源回路を有し該冷却器制御部と通信を行い圧縮機の運転制御を行う機械室制御部を備えた機械室ユニット。前記３種のユニットは、食品収納ユニットと冷却室ユニットは冷気ダクトを介して接続し、冷却室ユニットと機械室ユニットは冷媒供給管を介して接続され、分散配置される分散型冷蔵庫である。
【０００６】
食品収納ユニット、冷却室ユニット、及び機械室ユニットは、分離配置が可能であり、１つの冷却室ユニットで１つ以上数個の食品収納ユニットの接続、１つの機械室ユニットで１つ以上複数の冷却室ユニットの接続が可能であり、食品収納ユニットは冷凍室用、冷蔵室用、野菜室用といった温度帯域別、目的別に、複数種の容積、外形寸法を用意提供し、使用者が各食品収納ユニットを自由に選択配置し、使用者の生活習慣に適した冷蔵庫を提供することができる。
【０００７】
さらに、食品収納ユニットの替わりに、断熱材により囲まれた空間を設置し、冷却室ユニット及び機械室ユニットを接続することにより、簡単に作りつけ冷蔵庫を提供できる。
【０００８】
また、分散配置されるユニットの、電源供給及びデータ通信の方式としては、機械室ユニットの制御回路に内蔵される電源回路で交流電源から直流電源に変換し、冷却室ユニット制御回路及び食品収納ユニット制御回路への電力を供給するための電源を生成し、かつ通信データをスイッチング素子により重畳する２線式電源を用いることにより可能である。この電源供給とデータ通信をあわせた方式は分散型空気調和機で広く実用されている。本発明では機械室ユニットの制御回路に電源回路を内蔵させているが、冷却室ユニットもしくは食品収納ユニットに電源回路を内蔵しても同様の効果を得ることができる。
【０００９】
【発明の実施の形態】
本発明の実施例について図１を用いて説明する。図１は、本発明による分散型冷蔵庫のうち、食品収納ユニット１、冷却室ユニット２０、機械室ユニット３０を各々１機だけ接続した分散型冷蔵庫である。食品収納ユニット１は、断熱箱体１０、冷凍室扉１１ａ、冷蔵室扉１２ａ、野菜室扉１３ａにより構成され、冷凍室１１、冷蔵室１２、野菜室１３に分かれていて、食品収納ユニット制御部１９により温度制御されている。前記食品収納ユニット制御部１９は冷凍室温度センサー１４、および冷蔵室温度センサー１５により検知した温度を、あらかじめ設定された温度を保持するためにダンパー１６ａ、１６ｂ、１６ｃ、１７及び食品収納室ファン１８を制御する。冷却室ユニット２０は、冷媒を気化させる冷却器２１、冷却器２１の温度検出用に冷却器温度センサー２９、冷却器２１により冷却された空気を循環させ、冷気ダクト４１に冷気を送風する冷気循環用ファン２７、ダクト４０を接続するダクト接続部２８を有し、ダクトダンパー４３、冷却室ユニット制御部２２を有し、断熱箱体２３により覆われている。機械室ユニット３０は、冷却室ユニット２０の冷却器２１へ供給する冷媒を液化する放熱器３１、放熱器３１の温度を検知する放熱器温度センサー３７、冷却器２１にて気化された冷媒を放熱器３１まで返送する圧縮機３２、放熱器３１の放熱を効率よく行わせ機械室ユニット３０の冷却を行う機械室ファン３３、一般交流電源から分散型冷蔵庫として使用する直流電源を起電する電源回路３５、冷却室ユニット２０と通信を行い圧縮機３２及び機械室ファン３３を制御する機械室ユニット制御部３４を有している。また、ダクト４０は、食品収納ユニット１に冷却室ユニット２０にて冷却された空気を送風する冷気ダクト４１、食品収納ユニット１から冷却室ユニット２０に戻り空気を送風する戻りダクト４２を一体にし断熱壁で覆われ、食品収納ユニット１と冷却室ユニット２０を接続する。食品収納ユニット制御部１９と冷却室ユニット制御部２２はライン２５により接続され、ライン２５は食品収納ユニット１への電源供給のみならず、食品収納ユニット制御部１９と冷却室ユニット制御部２２相互間のデータ送受信に使用されている。また、冷却室ユニット制御部２２と機械室ユニット制御部３４はライン２６により接続され、ライン２６は冷却室ユニット２０への電源供給のみならず、冷却室ユニット制御部２２と機械室ユニット制御部３４相互間のデータ送受信に使用されている。冷却室ユニット２０の冷却器２１と機械室ユニット３０の放熱器３１は冷媒供給管３８及び３９により接続されている。以上のように構成接続された分散型冷蔵庫では、たとえば冷凍室温度センサー１５の検知温度が、冷凍室１１のあらかじめ設定された温度よりも高くなった場合に、食品収納ユニット制御部１９は、食品収納室ファン１８を起動させ冷蔵室野菜室用ダンパー１６ａを閉じ冷凍室戻りダンパー１７を開くと同時に、冷却室ユニット制御部２２にライン２５を介して冷気循環用ファン２７の起動と冷気ダクトダンパー４３の開放を制御させる。このとき冷却室ユニット制御部２２は冷却器温度センサー２９の検知温度を確認し予め記憶された温度まで上昇したときライン２６を介し機械室ユニット制御部３４に圧縮機３２を起動させる。
【００１０】
図２は本発明による実施例のうち、冷却室ユニット２０のダクト接続部２８を複数とし食品収納ユニット１ａ、１ｂ、１ｃを複数接続し複数の居住空間にて冷蔵庫を使用する実施例である。この実施例によれば、一般的に冷蔵庫を使用するキッチン等には大型の冷凍冷蔵庫１ａを設置し、リビングルーム等の人間の集まる処には小型の冷凍冷蔵庫１ｂを設置し、寝室等には小型の冷蔵庫１ｃを設置する、しかしながら圧縮機３２は１台であり、省資源、省エネルギーに適した冷蔵庫システムを提供できる。
【００１１】
図３は本発明による実施例のうち、食品収納ユニット１ｄを冷凍室ユニット５０、冷蔵室ユニット５１とに分割、組み合わせ自由にした物である。冷凍室ユニット５０は冷凍室ユニット制御部５２を、冷蔵室ユニット５１は冷蔵室ユニット制御部５３を有しそれぞれ庫内ファン５６、５７を制御する。ダクト４０は分岐点４９を設け、冷凍室ユニット制御部５２により制御されるダンパー４３ａ、冷蔵室ユニット制御部５３により制御されるダンパー４３ｂ、を有しており、冷凍室ユニット制御部５２冷蔵室ユニット制御部５３は冷却室ユニット制御部２２とはそれぞれライン５４、ライン５５で接続されている。この実施例によれば、冷凍室、冷蔵室の各ユニットは最低限の大きさに作りこむことが可能であり、大容量化に伴い外形寸法の増大・重量の増加等の問題、据付や引越しなどのときの搬入性が悪くなると言った問題、さらに、生活習慣の変化に対応し冷蔵庫を買い換えるといった問題に対応し、省資源、省エネルギーに適した冷蔵庫システムを提供できる。
【００１２】
【発明の効果】
以上詳細に説明したように本発明によれば、冷蔵庫の食品収納部と圧縮機、凝縮器、冷却器とを分散設置することにより、圧縮機、凝縮器の放熱による室内温度の上昇の問題がなくなる。また、冷蔵庫が発生する音は、使用者が安眠を求める上で非常に耳障りであり、機械室ユニットを屋外に設置すれば、実使用者が感じる冷蔵庫の発生する音は格段に減少する。また、集合住宅、旅館・ホテルのように、各住居、各部屋に冷蔵庫がある場合、機械室ユニット、冷却室ユニットを統合することが可能で、実使用者が感じる冷蔵庫の音は格段に減少する。また、冷却器と食品収納部を分離することにより、廃棄時の再資源化に非常に有効である。また、食品収納ユニットを分割することにより、実使用者の生活習慣の変化に対応した冷蔵庫システムを提供できる。
【図面の簡単な説明】
【図１】本発明の一実施例を示す概略図。
【図２】本発明の複数の食品収納部を有する一実施例を示す概略図。
【図３】本発明の食品収納部を分割可能とした一実施例を示す概略図。
【符号の説明】
１、１ａ、１ｂ、１ｃ…食品収納ユニット、１０…食品収納用断熱箱体、１１…冷凍室、１１ａ…冷凍室断熱扉、１２…冷蔵室、１２ａ…冷蔵室断熱扉、１３…野菜室、１３ａ…野菜室断熱扉、１４…冷凍室温度センサ、１５…冷蔵室温度センサ、１６ａ、１６ｂ、１６ｃ…冷蔵室ダンパー、１７…冷凍室戻りダンパー、１８…庫内ファン、１９…食品収納ユニット制御部、２０…冷却室ユニット、２１…冷却器、２２…冷却室ユニット制御部、２３…断熱箱体、２５、２５ａ、２５ｂ、２５ｃ…ライン、２６…ライン、２７…冷気循環用ファン、２８、２８ａ，２８ｂ，２８ｃ…ダクト接続部、２９…冷却器温度センサ、３０…機械室ユニット、３１…放熱器、３２…圧縮器、３３…機械室ファン、３４…機械室ユニット制御部、３５…電源回路、３６…電源コンセント、３７…放熱器温度センサ、３８、３９…冷媒供給管、４０、４０ａ、４０ｂ、４０ｃ…ダクト、４１…冷気ダクト、４２…戻りダクト、４３、４３ａ、４３ｂ…ダクトダンパー、４９…ダクト分岐部、５０…冷凍室ユニット、５１…冷蔵室ユニット、５２…冷凍室ユニット制御部、５３…冷蔵室ユニット制御部、５４、５５…ライン、５６…冷凍室庫内ファン、５７…冷蔵室庫内ファン。
【図１】
2004360929.tif 000003
【図２】
2004360929.tif 000004
【図３】
2004360929.tif 000005